【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
１または複数の構成要素を備えるコンピュータシステムを用いた使用のためのソフトウェア製品にとってのソフトウェア使用許諾条件の強制を可能とするための方法であって、
一連の構成要素タイプの中からの各構成要素タイプに対して、前記コンピュータシステムから関連する現在の構成要素識別情報を収集すること、
前記一連の構成要素タイプの中からの各構成要素タイプに対して、前記関連する現在の構成要素識別情報を関連する格納された構成要素識別情報と比較すること、
前記一連の構成要素タイプの中からの各構成要素タイプに対して、前記比較の結果が肯定的である場合には、格納された関連する構成要素タイプの重みを比較照合得点に加算することにより前記比較照合得点を歩進することを用いて、比較照合得点を計算すること、および
前記比較照合得点を比較照合得点の閾値と比較すること
を備えることを特徴とする方法。
【請求項２】
前記一連の構成要素タイプの中からの各構成要素タイプに対して、関連する現在の構成要素識別情報を収集する行為が、
該構成要素タイプのすべての構成要素に対して、関連する個別の現在の構成要素識別情報を収集することを備えることを特徴とする請求項１に記載の方法。
【請求項３】
一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のいずれかが前記関連する個別の現在の構成要素識別情報のいずれかに合致する場合には、肯定的結果を返すことを備えることを特徴とする請求項２に記載の方法。
【請求項４】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のすべてが前記関連する個別の現在の構成要素識別情報のいずれかに合致する場合には、肯定的結果を返すことを備えることを特徴とする請求項２に記載の方法。
【請求項５】
一連のハードウェア構成要素タイプの中からの各ハードウェア構成要素タイプに対して、関連する現在の構成要素識別情報を収集する前記行為が、
問い合わせの結果を求めて前記ハードウェア構成要素タイプのハードウェア構成要素に問い合わせすること、および
前記問い合わせの結果をハッシュ化すること
を備えることを特徴とする請求項１に記載の方法。
【請求項６】
前記一連の構成要素タイプの中からの各構成要素タイプに対して、前記比較の結果が肯定的である場合には、格納された関連する構成要素タイプの重みを加算することにより比較照合得点を歩進することを用いて、比較照合得点を計算する前記行為が、
各構成要素タイプに対して、関連する満了期間が経過しているか否かを判定すること、
および
各構成要素タイプに対して、前記満了期間が経過していた場合には、前記格納された関連する構成要素タイプの重みを加算すること
を備えることを特徴とする請求項１に記載の方法。
【請求項７】
前記一連の構成要素タイプの中からの各構成要素タイプに対して、格納された関連する構成要素タイプの重みを加算することにより比較照合得点を計算する前記行為が、
各構成要素タイプに対して、関連する満了期間が経過しているか否かを判定すること、
および
各構成要素タイプに対して、前記満了期間が経過していた場合には、予め特定された期間満了の増分を加算すること
を備えることを特徴とする請求項１に記載の方法。
【請求項８】
前記一連の構成要素タイプが次の、サウンドカード、ネットワークカード、ＢＩＯＳ、ＣＤＲＯＰＭ駆動装置、表示装置アダプタ、ディスク駆動装置、ＳＣＳＩアダプタ、ディスクアダプタ、プロセッサ、およびＲＡＭの中から選択された１または複数を備えることを特徴とする請求項１に記載の方法。
【請求項９】
１または複数の構成要素を備えるコンピュータシステムを用いた使用のためのソフトウェア製品にとってのソフトウェア使用許諾条件の強制を可能とするための方法であって、
一連の構成要素タイプの中からの各構成要素タイプに対して、前記コンピュータシステムから関連する現在の構成要素識別情報を収集すること、
前記一連の構成要素タイプの中からの各構成要素タイプに対して、前記関連する現在の構成要素識別情報を関連する格納された構成要素識別情報と比較すること、
前記一連の構成要素タイプの中からの各構成要素タイプに対して、前記比較の結果が肯定的である場合、または関連する満了期間が経過していた場合には、比較照合得点を歩進することを用いて、前記比較照合得点を計算すること、および
前記比較照合得点を比較照合得点の閾値と比較すること
を備えることを特徴とする方法。
【請求項１０】
前記一連の構成要素タイプの中からの各構成要素タイプに対して、関連する現在の構成要素識別情報を収集する前記行為が、
該構成要素タイプのすべての構成要素に対して、関連する個別の現在の構成要素識別情報を収集することを備えることを特徴とする請求項９に記載の方法。
【請求項１１】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のいずれかが前記関連する個別の現在の構成要素識別情報のいずれかに合致する場合には、肯定的結果を返すことを備えることを特徴とする請求項１０に記載の方法。
【請求項１２】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のすべてが前記関連する個別の現在の構成要素識別情報のいずれかに合致する場合には、肯定的結果を返すことを備えることを特徴とする請求項１０に記載の方法。
【請求項１３】
一連のハードウェア構成要素タイプの中からの各ハードウェア構成要素タイプに対して、関連する現在の構成要素識別情報を収集する前記行為が、
問い合わせの結果を求めて前記ハードウェア構成要素タイプのハードウェア構成要素に問い合わせすること、および
前記問い合わせの結果をハッシュ化すること
を備えることを特徴とする請求項９に記載の方法。
【請求項１４】
前記一連の構成要素タイプが次の、サウンドカード、ネットワークカード、ＢＩＯＳ、ＣＤＲＯＰＭ駆動装置、表示装置アダプタ、ディスク駆動装置、ＳＣＳＩアダプタ、ディスクアダプタ、プロセッサ、およびＲＡＭの中から選択された１または複数を備えることを特徴とする請求項９に記載の方法。
【請求項１５】
１または複数の構成要素タイプの１または複数の構成要素を備えるコンピュータシステムを用いた使用のためのソフトウェア製品にとってのソフトウェア使用許諾条件の強制を可能とするための使用許諾データ構造であって、
各々の値が前記構成要素の１つに対する構成要素識別情報に対応する複数の値を備えるハードウェアＩＤと、
前記１または複数の構成要素タイプの各々に対して、前記構成要素タイプのための重み値を備える重みベクトルと
を備えることを特徴とする使用許諾データ構造。
【請求項１６】
前記ハードウェアＩＤが第２のハードウェアＩＤに事実上合致するか否かを判定するための閾値数値をさらに備えることを特徴とする請求項１５に記載の使用許諾データ構造。
【請求項１７】
１または複数の構成要素タイプの１または複数の構成要素を備えるコンピュータシステムを用いた使用のためのソフトウェア製品にとってのソフトウェア使用許諾条件の強制を可能とするための使用許諾データ構造であって、
各々の値が前記構成要素の１つに対する構成要素識別情報に対応する複数の値を備えるハードウェアＩＤと、
少なくとも１つの前記構成要素タイプの各々に対して、前記構成要素タイプのための満了期間値を備える時間ベクトルと
を備えることを特徴とする使用許諾データ構造。
【請求項１８】
前記ハードウェアＩＤが第２のハードウェアＩＤに事実上合致するか否かを判定するための閾値数値をさらに備えることを特徴とする請求項１７に記載の使用許諾データ構造。
【請求項１９】
前記１または複数の構成要素タイプの各々に対して、前記構成要素タイプのための重み値を備える重みベクトルをさらに備えることを特徴とする請求項１７に記載の使用許諾データ構造。
【請求項２０】
前記ハードウェアＩＤが第２のハードウェアＩＤに事実上合致するか否かを判定するための閾値数値をさらに備えることを特徴とする請求項１９に記載の使用許諾データ構造。
【請求項２１】
１または複数の構成要素を備えるコンピュータシステムを用いた使用のためのソフトウェア製品にとってのソフトウェア使用許諾条件の強制を可能とするための、１つの方法を為すためのコンピュータで実行可能な命令を備える、少なくとも１つのコンピュータで実行可能なモジュールをそこに格納している、コンピュータで読み取り可能な媒体であって、前記方法が、
一連の構成要素タイプの中からの各構成要素タイプに対して、前記コンピュータシステムから関連する現在の構成要素識別情報を収集すること、
前記一連の構成要素タイプの中からの各構成要素タイプに対して、前記関連する現在の構成要素識別情報を関連する格納された構成要素識別情報と比較すること、
前記一連の構成要素タイプの中からの各構成要素タイプに対して、前記比較の結果が肯定的である場合には、格納された関連する構成要素タイプの重みを比較照合得点に加算することにより前記比較照合得点を歩進することを用いて、比較照合得点を計算すること、および
前記比較照合得点を比較照合得点の閾値と比較すること
を備えることを特徴とするコンピュータで読み取り可能な媒体。
【請求項２２】
前記一連の構成要素タイプの中からの各構成要素タイプに対して、関連する現在の構成要素識別情報を収集する前記行為が、
該構成要素タイプのすべての構成要素に対して、関連する個別の現在の構成要素識別情報を収集することを備えることを特徴とする請求項２１に記載のコンピュータで読み取り可能な媒体。
【請求項２３】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のいずれかが前記関連する個別の現在の構成要素識別情報のいずれかに合致する場合には、肯定的結果を返すことを備えることを特徴とする請求項２２に記載のコンピュータで読み取り可能な媒体。
【請求項２４】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のすべてが前記関連する個別の現在の構成要素識別情報のいずれかに合致する場合には、肯定的結果を返すことを備えることを特徴とする請求項２２に記載のコンピュータで読み取り可能な媒体。
【請求項２５】
一連のハードウェア構成要素タイプの中からの各ハードウェア構成要素タイプに対して、関連する現在の構成要素識別情報を収集する前記行為が、
問い合わせの結果を求めて前記ハードウェア構成要素タイプのハードウェア構成要素に問い合わせすること、および
前記問い合わせの結果をハッシュ化すること
を備えることを特徴とする請求項２１に記載のコンピュータで読み取り可能な媒体。
【請求項２６】
前記一連の構成要素タイプの中からの各構成要素タイプに対して、前記比較の結果が肯定的である場合には、格納された関連する構成要素タイプの重みを加算することにより比較照合得点を歩進することを用いて、比較照合得点を計算する前記行為が、
各構成要素タイプに対して、関連する満了期間が経過しているか否かを判定すること、
および
各構成要素タイプに対して、前記満了期間が経過していた場合には、前記格納された関連する構成要素タイプの重みを加算すること
を備えることを特徴とする請求項２１に記載のコンピュータで読み取り可能な媒体。
【請求項２７】
前記一連の構成要素タイプの中からの各構成要素タイプに対して、前記比較の結果が肯定的である場合には、格納された関連する構成要素タイプの重みを加算することにより比較照合得点を歩進することを用いて、比較照合得点を計算する前記行為が、
各構成要素タイプに対して、関連する満了期間が経過しているか否かを判定すること、
および
各構成要素タイプに対して、前記満了期間が経過していた場合には、予め特定された期間満了の増分を加算すること
を備えることを特徴とする請求項２１に記載のコンピュータで読み取り可能な媒体。
【請求項２８】
前記一連の構成要素タイプが次の、サウンドカード、ネットワークカード、ＢＩＯＳ、ＣＤＲＯＰＭ駆動装置、表示装置アダプタ、ディスク駆動装置、ＳＣＳＩアダプタ、ディスクアダプタ、プロセッサ、およびＲＡＭの中から選択された１または複数を備えることを特徴とする請求項２１に記載のコンピュータで読み取り可能な媒体。
【請求項２９】
１または複数の構成要素を備えるコンピュータシステムを用いた使用のためのソフトウェア製品にとってのソフトウェア使用許諾条件の強制を可能とするための、１つの方法を為すためのコンピュータで実行可能な命令を備える、少なくとも１つのコンピュータで実行可能なモジュールをそこに格納している、コンピュータで読み取り可能な媒体であって、前記方法が、
一連の構成要素タイプの中からの各構成要素タイプに対して、前記コンピュータシステムから関連する現在の構成要素識別情報を収集すること、
前記一連の構成要素タイプの中からの各構成要素タイプに対して、前記関連する現在の構成要素識別情報を関連する格納された構成要素識別情報と比較すること、
前記一連の構成要素タイプの中からの各構成要素タイプに対して、前記比較の結果が肯定的である場合、または関連する満了期間が経過していた場合には、比較照合得点を歩進することを用いて、前記比較照合得点を計算すること、および
前記比較照合得点を比較照合得点の閾値と比較すること
を備えることを特徴とするコンピュータで読み取り可能な媒体。
【請求項３０】
前記一連の構成要素タイプの中からの各構成要素タイプに対して、関連する現在の構成要素識別情報を収集する前記行為が、
該構成要素タイプのすべての構成要素に対して、関連する個別の現在の構成要素識別情報を収集することを備えることを特徴とする請求項２９に記載のコンピュータで読み取り可能な媒体。
【請求項３１】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のいずれかが前記関連する個別の現在の構成要素識別情報のいずれかに合致する場合には、肯定的結果を返すことを備えることを特徴とする請求項３０に記載のコンピュータで読み取り可能な媒体。
【請求項３２】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較する前記行為が、
前記関連する個別の格納された構成要素識別情報のすべてが前記関連する個別の現在の構成要素識別情報のいずれかに合致する場合には、肯定的結果を返すことを備えることを特徴とする請求項３０に記載のコンピュータで読み取り可能な媒体。
【請求項３３】
一連のハードウェア構成要素タイプの中からの各ハードウェア構成要素タイプに対して、関連する現在の構成要素識別情報を収集する前記行為が、
問い合わせの結果を求めて前記ハードウェア構成要素タイプのハードウェア構成要素に問い合わせすること、および
前記問い合わせの結果をハッシュ化すること
を備えることを特徴とする請求項２９に記載のコンピュータで読み取り可能な媒体。
【請求項３４】
前記一連の構成要素タイプが次の、サウンドカード、ネットワークカード、ＢＩＯＳ、ＣＤＲＯＰＭ駆動装置、表示装置アダプタ、ディスク駆動装置、ＳＣＳＩアダプタ、ディスクアダプタ、プロセッサ、およびＲＡＭの中から選択された１または複数を備えることを特徴とする請求項２９に記載のコンピュータで読み取り可能な媒体。
【請求項３５】
１または複数の構成要素を備えるコンピュータシステムを用いた使用のためのソフトウェア製品にとってのソフトウェア使用許諾条件の強制を可能とするためのコンピュータ処理装置であって、
一連の構成要素タイプの中からの各構成要素タイプに対して、前記コンピュータシステムから関連する現在の構成要素識別情報を収集するための手段と、
前記一連の構成要素タイプの中からの各構成要素タイプに対して、前記関連する現在の構成要素識別情報を関連する格納された構成要素識別情報と比較するための手段と、
前記一連の構成要素タイプの中からの各構成要素タイプに対して、前記比較の結果が肯定的である場合には、格納された関連する構成要素タイプの重みを比較照合得点に加算することにより前記比較照合得点を歩進することを用いて、比較照合得点を計算するための手段と、
前記比較照合得点を比較照合得点の閾値と比較するための手段と
を備えることを特徴とするコンピュータ処理装置。
【請求項３６】
前記一連の構成要素タイプの中からの各構成要素タイプに対して、関連する現在の構成要素識別情報を収集するための前記手段が、
該構成要素タイプのすべての構成要素に対して、関連する個別の現在の構成要素識別情報を収集するための手段を備えることを特徴とする請求項３５に記載のコンピュータ処理装置。
【請求項３７】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較するための前記手段が、
前記関連する個別の格納された構成要素識別情報のいずれかが前記関連する個別の現在の構成要素識別情報のいずれかに合致する場合には、肯定的結果を返すための手段を備えることを特徴とする請求項３６に記載のコンピュータ処理装置。
【請求項３８】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較するための前記手段が、
前記関連する個別の格納された構成要素識別情報のすべてが前記関連する個別の現在の構成要素識別情報のいずれかに合致する場合には、肯定的結果を返すための手段
を備えることを特徴とする請求項３６に記載のコンピュータ処理装置。
【請求項３９】
一連のハードウェア構成要素タイプの中からの各ハードウェア構成要素タイプに対して、関連する現在の構成要素識別情報を収集するための前記手段が、
問い合わせの結果を求めて前記ハードウェア構成要素タイプのハードウェア構成要素に問い合わせするための手段と、
前記問い合わせの結果をハッシュ化するための手段と
を備えることを特徴とする請求項３５に記載のコンピュータ処理装置。
【請求項４０】
前記一連の構成要素タイプの中からの各構成要素タイプに対して、前記比較の結果が肯定的である場合には、格納された関連する構成要素タイプの重みを加算することにより比較照合得点を歩進することを用いて、比較照合得点を計算するための前記手段が、
各構成要素タイプに対して、関連する満了期間が経過しているか否かを判定するための手段と、
各構成要素タイプに対して、前記満了期間が経過していた場合には、前記格納された関連する構成要素タイプの重みを加算するための手段と
を備えることを特徴とする請求項３５に記載のコンピュータ処理装置。
【請求項４１】
前記一連の構成要素タイプの中からの各構成要素タイプに対して、前記比較の結果が肯定的である場合には、格納された関連する構成要素タイプの重みを加算することにより比較照合得点を歩進することを用いて、比較照合得点を計算するための前記手段が、
各構成要素タイプに対して、関連する満了期間が経過しているか否かを判定するための手段と、
各構成要素タイプに対して、前記満了期間が経過していた場合には、予め特定された期間満了の増分を加算するための手段と
を備えることを特徴とする請求項３５に記載のコンピュータ処理装置。
【請求項４２】
前記一連の構成要素タイプが次の、サウンドカード、ネットワークカード、ＢＩＯＳ、ＣＤＲＯＰＭ駆動装置、表示装置アダプタ、ディスク駆動装置、ＳＣＳＩアダプタ、ディスクアダプタ、プロセッサ、およびＲＡＭの中から選択された１または複数を備えることを特徴とする請求項３５に記載のコンピュータ処理装置。
【請求項４３】
１または複数の構成要素を備えるコンピュータシステムを用いた使用のためのソフトウェア製品にとってのソフトウェア使用許諾条件の強制を可能とするためのコンピュータ処理装置であって、
一連の構成要素タイプの中からの各構成要素タイプに対して、前記コンピュータシステムから関連する現在の構成要素識別情報を収集するための手段と、
前記一連の構成要素タイプの中からの各構成要素タイプに対して、前記関連する現在の構成要素識別情報を関連する格納された構成要素識別情報と比較するための手段と、
前記一連の構成要素タイプの中からの各構成要素タイプに対して、前記比較の結果が肯定的である場合、または関連する満了期間が経過していた場合には、比較照合得点を歩進することを用いて、前記比較照合得点を計算するための手段と、
前記比較照合得点を比較照合得点の閾値と比較するための手段と
を備えることを特徴とするコンピュータ処理装置。
【請求項４４】
前記一連の構成要素タイプの中からの各構成要素タイプに対して、関連する現在の構成要素識別情報を収集するための前記手段が、
該構成要素タイプのすべての構成要素に対して、関連する個別の現在の構成要素識別情報を収集するための手段を備えることを特徴とする請求項４３に記載のコンピュータ処理装置。
【請求項４５】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較するための前記手段が、
前記関連する個別の格納された構成要素識別情報のいずれかが前記関連する個別の現在の構成要素識別情報のいずれかに合致する場合には、肯定的結果を返すための手段を備えることを特徴とする請求項４４に記載のコンピュータ処理装置。
【請求項４６】
前記一連のハードウェア構成要素タイプの中からの少なくとも１つの構成要素タイプに対して、前記関連する格納された構成要素識別情報が１または複数の関連する個別の格納された構成要素識別情報を備え、かつ前記一連のハードウェア構成要素タイプの中からの各ハードウェア構成要素タイプに対して、前記関連する現在の構成要素識別情報を関連する格納された構成要素識別情報と比較するための前記手段が、
前記関連する個別の格納された構成要素識別情報のすべてが前記関連する個別の現在の構成要素識別情報のいずれかに合致する場合には、肯定的結果を返すための手段を備えることを特徴とする請求項４４に記載のコンピュータ処理装置。
【請求項４７】
一連のハードウェア構成要素タイプの中からの各ハードウェア構成要素タイプに対して、関連する現在の構成要素識別情報を収集するための前記手段が、
問い合わせの結果を求めて前記ハードウェア構成要素タイプのハードウェア構成要素に問い合わせするための手段と、
前記問い合わせの結果をハッシュ化するための手段とを備えることを特徴とする請求項４３に記載のコンピュータ処理装置。
【請求項４８】
前記一連の構成要素タイプが次の、サウンドカード、ネットワークカード、ＢＩＯＳ、ＣＤＲＯＰＭ駆動装置、表示装置アダプタ、ディスク駆動装置、ＳＣＳＩアダプタ、ディスクアダプタ、プロセッサ、およびＲＡＭの中から選択された１または複数を備えることを特徴とする請求項４３に記載のコンピュータ処理装置。
【請求項４９】
１または複数の構成要素タイプの１または複数の構成要素を備えるコンピュータシステムを動作させるべく使用許諾されているソフトウェアにとってのソフトウェア使用許諾条件の強制を可能とするための方法であって、
各々の値が前記構成要素の１つに対する構成要素識別情報に対応する複数の値を備えるハードウェアＩＤを生成すること、および
前記構成要素タイプの各々に対して、前記構成要素タイプのための時間値を備える時間ベクトルを生成すること
を備えることを特徴とする方法。
【請求項５０】
１または複数の構成要素タイプの１または複数の構成要素を備えるコンピュータシステムを動作させるべく使用許諾されているソフトウェアにとってのソフトウェア使用許諾条件の強制を可能とするための方法であって、
各々の値が前記構成要素の１つに対する構成要素識別情報に対応する複数の値を備えるハードウェアＩＤを生成すること、および
前記１または複数の構成要素タイプの各々に対して、前記構成要素タイプのための重み値を備える重みベクトルを生成すること
を備えることを特徴とする方法。
【請求項５１】
第２のハードウェアＩＤが前の時間における前記コンピュータシステムを記述し、かつ重みベクトルを生成する前記行為が、
前記一連の構成要素タイプの中からの前記第１のハードウェアＩＤが前記第２のハードウェアＩＤと異なる各構成要素タイプに対して、予め特定された値により前記重み値を調整することを備えることを特徴とする請求項５０に記載の方法。
【請求項５２】
１または複数の構成要素タイプの１または複数の構成要素を備えるコンピュータシステムを動作させるべく使用許諾されているソフトウェアにとってのソフトウェア使用許諾条件の強制を可能とするための、１つの方法を為すためのコンピュータで実行可能な命令を備える、少なくとも１つのコンピュータで実行可能なモジュールをそこに格納している、コンピュータで読み取り可能な媒体であって、前記方法が、
各々の値が前記構成要素の１つに対する構成要素識別情報に対応する複数の値を備えるハードウェアＩＤを生成すること、および
前記１または複数の構成要素タイプの各々に対して、前記構成要素タイプのための時間値を備える時間ベクトルを生成すること
を備えることを特徴とするコンピュータで読み取り可能な媒体。
【請求項５３】
１または複数の構成要素タイプの１または複数の構成要素を備えるコンピュータシステムを動作させるべく使用許諾されているソフトウェアにとってのソフトウェア使用許諾条件の強制を可能とするための、１つの方法を為すためのコンピュータで実行可能な命令を備える、少なくとも１つのコンピュータで実行可能なモジュールをそこに格納している、コンピュータで読み取り可能な媒体であって、前記方法が、
各々の値が前記構成要素の１つに対する構成要素識別情報に対応する複数の値を備えるハードウェアＩＤを生成すること、および
前記１または複数の構成要素タイプの各々に対して、前記構成要素タイプのための重み値を備える重みベクトルを生成すること
を備えることを特徴とするコンピュータで読み取り可能な媒体。
【請求項５４】
第２のハードウェアＩＤが前の時間における前記コンピュータシステムを記述し、かつ重みベクトルを生成する前記行為が、
前記一連の構成要素タイプの中からの前記第１のハードウェアＩＤが前記第２のハードウェアＩＤと異なる各構成要素タイプに対して、予め特定された値により前記重み値を調整することを備えることを特徴とする請求項５３に記載のコンピュータで読み取り可能な媒体。
【請求項５５】
１または複数の構成要素タイプの１または複数の構成要素を備えるコンピュータシステムを動作させるべく使用許諾されているソフトウェアにとってのソフトウェア使用許諾条件の強制を可能とするための装置であって、
各々の値が前記構成要素の１つに対する構成要素識別情報に対応する複数の値を備えるハードウェアＩＤを生成するための手段と、
前記１または複数の構成要素タイプの各々に対して、前記構成要素タイプのための時間値を備える時間ベクトルを生成するための手段と
を備えることを特徴とする装置。
【請求項５６】
１または複数の構成要素タイプの１または複数の構成要素を備えるコンピュータシステムを動作させるべく使用許諾されているソフトウェアにとってのソフトウェア使用許諾条件の強制を可能とするための装置であって、
各々の値が前記構成要素の１つに対する構成要素識別情報に対応する複数の値を備えるハードウェアＩＤを生成するための手段と、
前記１または複数の構成要素タイプの各々に対して、前記構成要素タイプのための重み値を備える重みベクトルを生成するための手段と
を備えることを特徴とする装置。
【請求項５７】
第２のハードウェアＩＤが前の時間における前記コンピュータシステムを記述し、かつ重みベクトルを生成するための前記手段が、
前記一連の構成要素タイプの中からの前記第１のハードウェアＩＤが前記第２のハードウェアＩＤと異なる各構成要素タイプに対して、予め特定された値により前記重み値を調整するための手段を備えることを特徴とする請求項５６に記載の装置。